(57)【要約】      （修正有）【課題】移動通信端末装置に備わる各コンテンツを接続先の外部端末装置で再生させることにより、入出力装置の操作性、画像データの視認性、及び音声データの音質出力をより向上させた移動通信端末装置を提供する。【解決手段】コンテンツ再生機能１０８、１１０と無線外部入出力インターフェース部１１６を備えた移動通信端末装置１０２と、無線外部入出力インターフェース部を備えて移動通信端末装置１０２と接続でき、画像の表示、音声の再生機能を有した外部端末装置とを備える無線通信システムにおいて、外部端末装置から移動通信端末装置を制御し、既に移動通信端末装置に搭載されているコンテンツ再生機能を用いて再生された映像、音声データを外部に出力することにより、外部端末装置は各種コンテンツの再生機能を搭載することなく、画面・音声出力を表示再生できる。【選択図】図２
2006148625.tif 000002
【特許請求の範囲】
【請求項１】
情報処理・再生機能を有する外部端末装置と無線外部入出力インターフェース部を介して接続される移動通信端末装置において；
前記移動通信端末装置に備わる各コンテンツを再生させるコンテンツ再生手段と、
前記外部端末装置と前記無線外部入出力インターフェース部を介して接続する際に前記外部端末装置との同期の確立を実行する同期確立手段と、
前記外部端末装置と同期確立後にこの外部端末装置に備わる操作部のキー操作による制御信号を受信して前記コンテンツを制御するキー制御信号受信手段と、
前記制御信号により制御された前記コンテンツのデータを前記外部端末装置に転送するデータ転送手段と、
前記コンテンツのデータを受信した前記外部端末装置から前記データのうち再生させるコンテンツを確定させたコンテンツ再生データを受信して再生データに変換する再生データ変換手段と、
前記再生データを前記外部端末装置に転送する再生データ転送手段と、を備えることを特徴とする、移動通信端末装置。
【請求項２】
前記再生データ変換手段で前記再生データを変換した後に、この再生データを圧縮する再生データ圧縮手段が更に設けられ、
前記再生データは、この再生データ圧縮手段で圧縮した後に前記再生データ転送手段により前記外部端末装置へ転送することを特徴とする、請求項１に記載の移動通信端末装置。
【請求項３】
前記再生データを前記外部端末装置へ転送する際に、前記再生データを圧縮データ又は非圧縮データの何れか一方で自動的に選択して送出する手段を更に備えることを特徴とする、請求項２に記載の移動通信端末装置。
【請求項４】
情報処理・再生機能を有する外部端末装置と請求項１から３の何れかに記載の移動通信端末装置との間で無線外部入出力インターフェース部を介して接続されることにより、前記移動通信端末装置に備わるコンテンツを前記外部端末装置で実行させる無線通信システムにおいて；
前記外部無線端末装置には、前記移動通信端末装置から転送された前記コンテンツの再生データを受信する再生データ受信手段と、
受信した前記再生データを再生させて出力する再生データ出力手段と、を備えることを特徴とする、無線通信システム
【請求項５】
前記外部端末装置には、前記無線外部入出力インターフェース部を介して前記移動通信端末装置に前記外部端末装置に備わる操作部のキー操作による制御信号を送信するキー制御信号送信手段が備わることを特徴とする、請求項４に記載の無線通信システム。
【請求項６】
前記キー制御信号送信手段は、前記移動通信端末装置で直接認識可能な形式で前記制御信号を送信することを特徴とする、請求項５に記載の無線通信システム。
【請求項７】
前記外部端末装置には、前記移動通信端末装置から圧縮データを受信した際に、前記圧縮データを伸張して再生する圧縮データ伸張手段が更に設けられていることを特徴とする、請求項４〜６の何れか１項に記載の無線通信システム。
【請求項８】
前記コンテンツの前記再生データは、画像データ、音声データ、又は制御情報データの何れか又はこれらの任意の組み合わせによるものであることを特徴とする、請求項４〜７の何れか１項に記載の無線通信システム。
【発明の詳細な説明】
【技術分野】
【０００１】
本発明は、移動通信端末装置に係り、特にＰＣ等の外部端末装置と接続させて移動通信端末装置に備わるコンテンツをかかる外部端末装置で再生するための無線通信システムに関する。
【背景技術】
【０００２】
携帯電話機等の移動通信端末装置は、ｗｅｂ閲覧、ブラウザ機能、メール送受信、静止画や動画の画像撮影・再生、音楽録音・再生等の多種類のコンテンツを再生でき、また格納することができる。しかし、移動通信端末装置の携帯性ゆえの特性から、大型ＬＣＤ等の画面を搭載することは好ましくなく、このため、上述した多種多様なコンテンツを楽しむには、画面サイズが不十分になってきている。また、小さい画面を長時間見ることによる視力低下への影響も懸念されている。
【０００３】
更に、移動通信端末装置の携帯性ゆえにスピーカーサイズも限定されるため、高音質のコンテンツを再生するには不向きである。また、入力操作をする際に使用する操作キーのサイズも小さいため、操作性も良好とは言えなかった。
【０００４】
すなわち、上述したように、移動通信端末装置の携帯性ゆえの各機能部の小型化のために、ユーザは移動通信端末装置に搭載される上述した各コンテンツを十分に楽しむことが出来なかった。
【０００５】
これらの問題を解決するために、移動通信端末装置とＰＣ等の外部端末装置とをインターフェースを介して接続して、外部端末装置により上述した移動通信端末装置に搭載された各種コンテンツを再生させる装置・方法が開示されている。
【０００６】
例えば、携帯型情報端末を外部端末装置となる情報機器に外部インターフェースを介して接続して、情報機器の入出力装置の操作により携帯型情報端末側の機能を処理するようにして処理情報の一元化を実現できる携帯型情報端末が開示されている（例えば、特許文献１を参照）。
【０００７】
また、携帯電話の外部接続端子からビデオ信号が出力されるようにし、ＡＣアダプターのケーブルを通してＡＣプラグ部に設けたビデオ出力端子から家庭用テレビに接続を可能とした方法や（例えば、特許文献２を参照）、外部端末自体に移動通信端末装置のコンテンツを格納して再生するためのデータ変換機能を搭載することにより、移動通信端末装置のコンテンツを出力する方法（例えば、特許文献３、４を参照）が開示されている。
【０００８】
【特許文献１】特開２００１−０４３１２２号公報
【特許文献２】特開２００４−０５６６５３号公報
【特許文献３】特開２００２−０９０６８９号公報
【特許文献４】特開２００３−００８７０３号公報
【発明の開示】
【発明が解決しようとする課題】
【０００９】
しかしながら、特許文献２に開示されている移動通信端末装置の一例である携帯電話では、ＡＶケーブルにてテレビに画像を出力することが出来るものの、ＡＶケーブル等の有線にて接続されているため、利用場所の自由度が低い。また、画像等の制御は、移動通信端末装置で行わなければならないため、例えばゲームで頻繁にキー操作をしなければならない場合等での操作性が悪かった。更に、出力できるコンテンツが限られているという点においても利便性に欠けていた。
【００１０】
また、特許文献３、４に開示されている移動通信端末装置は、外部メモリ等により各種ファイルをＰＣ等の外部端末装置へ取り込んで出力できるが、移動通信端末装置固有の情報を出力することはできない。すなわち、外部端末装置は、移動通信端末装置固有のコンテンツを再生するために、コンテンツ毎に再生データへの変換機能を備えなければならず、手間・コストを要する。とりわけ、特許文献４に記載の移動通信端末装置では、端末自体が外部メモリとなっているため、複製禁止コンテンツの再生に制限があることとなる。
【００１１】
さらに、特許文献１に開示されている携帯型情報端末は、外部インターフェースを介して外部端末装置となる情報機器と接続して、かかる情報機器の入出力装置の操作により携帯型情報端末側の機能を処理することにより処理情報の一元化の実現が図られるが、携帯型情報端末の画像データ及び音声データを外部の情報機器に再現する方法に関しては、言及しておらず、前述した画像及び音声の再生を始めとする各コンテンツを十分に楽しむには至らなかった。
【００１２】
そこで、本発明は、従来の移動通信端末装置が有する上記問題点に鑑みてなされたものであり、本発明の目的は、移動通信端末装置に備わる各コンテンツを接続先の外部端末装置で再生させることにより、入出力装置の操作性、画像データの視認性、及び音声データの音質出力をより簡潔に向上させることの可能な、新規かつ改良された移動通信端末装置を提供することである。
【課題を解決するための手段】
【００１３】
上記課題を解決するために、本発明のある観点によれば、情報処理・再生機能を有する外部端末装置と無線外部入出力インターフェース部を介して接続される移動通信端末装置において、移動通信端末装置に備わる各コンテンツを再生させるコンテンツ再生手段と、外部端末装置と無線外部入出力インターフェース部を介して接続する際に外部端末装置との同期の確立を実行する同期確立手段と、外部端末装置と同期確立後にこの外部端末装置に備わる操作部のキー操作による制御信号を受信してコンテンツを制御するキー制御信号受信手段と、制御信号により制御されたコンテンツのデータを外部端末装置に転送するデータ転送手段と、コンテンツのデータを受信した外部端末装置からデータのうち再生させるコンテンツを確定させたコンテンツ再生データを受信して再生データに変換する再生データ変換手段と、再生データを外部端末装置に転送する再生データ転送手段と、を備えることを特徴とする、移動通信端末装置が提供される。
【００１４】
このような構成とすることにより、外部端末装置から移動通信端末装置を制御し、既に移動通信端末装置に搭載されているコンテンツ再生機能を用いて再生された映像、音声データを外部に出力することより、外部端末装置は移動通信端末装置に備わる各種コンテンツの再生機能を搭載しなくても移動通信端末装置の画面・音声出力を始めとする各種コンテンツを表示再生することができる。
【００１５】
このとき、再生データ変換手段で再生データを変換した後に、この再生データを圧縮する再生データ圧縮手段が更に設けられ、再生データは、この再生データ圧縮手段で圧縮した後に再生データ転送手段により外部端末装置へ転送することとしてもよい。
【００１６】
このような構成とすることにより、無線外部入出力インターフェース部が転送速度の遅いインターフェースで構成した場合でも、再生データの転送を間に合わせることが出来るようになる。例えば、動画等のリアルタイム性の必要なコンテンツの場合、再生させる動画のリアルタイム性を維持することが可能となる。
【００１７】
また、このとき、再生データを外部端末装置へ転送する際に、再生データを圧縮データ又は非圧縮データの何れか一方で自動的に選択して送出する手段を更に備えることとしてもよい。
【００１８】
このような構成とすることにより、再生データの容量の大きさに応じて、かかる再生データを外部端末装置において、より好適に再生することが出来るようになる。
【００１９】
また、上記課題を解決するために、本発明の他の観点によれば、情報処理・再生機能を有する外部端末装置と上述した何れかの移動通信端末装置との間で無線外部入出力インターフェース部を介して接続されることにより、移動通信端末装置に備わるコンテンツを外部端末装置で実行させる無線通信システムにおいて、外部無線端末装置には、移動通信端末装置から転送されたコンテンツの再生データを受信する再生データ受信手段と、受信した再生データを再生させて出力する再生データ出力手段と、を備えることを特徴とする、無線通信システムが提供される。
【００２０】
このような構成とすることにより、移動通信端末装置内に備わるコンテンツを無線ＬＡＮ、Ｂｌｕｅｔｏｏｔｈ等の無線外部入出力インターフェース部を用いて出力することにより、無線外部入出力インターフェース部を備えた外部端末装置を使用して、移動通信端末装置の操作や移動通信端末装置からコンテンツデータを取得して再生することが出来るようになる。
【００２１】
このとき、外部端末装置には、無線外部入出力インターフェース部を介して移動通信端末装置に外部端末装置に備わる操作部のキー操作による制御信号を送信するキー制御信号送信手段が備わることとしてもよい。
【００２２】
また、このとき、キー制御信号送信手段は、移動通信端末装置で直接認識可能な形式で制御信号を送信することとしてもよい。
【００２３】
このような構成とすることにより、外部端末装置から移動通信端末装置の制御・操作を実行することが可能となる。
【００２４】
また、このとき、外部端末装置には、移動通信端末装置から圧縮データを受信した際に、圧縮データを伸張して再生する圧縮データ伸張手段が更に設けられていることとしてもよい。
【００２５】
このような構成とすることにより、無線外部入出力インターフェース部が転送速度の遅いインターフェースで構成した場合や再生データの容量が大きい場合でも、再生データの転送を間に合わせることが出来るようになる。換言すると、再生データの容量の大きさに応じて、かかる再生データを外部端末装置において、より好適に再生することが出来るようになる。
【００２６】
また、このとき、コンテンツの再生データは、画像データ、音声データ、又は制御情報データの何れか又はこれらの任意の組み合わせによるものであることとしてもよい。
【００２７】
このような構成とすることにより、移動通信端末装置の大きさに関わらず、無線インターフェースを介して接続された外部端末装置において、移動通信端末装置内のコンテンツをより幅広く楽しむことができる。
【発明の効果】
【００２８】
以上説明したように本発明によれば、移動通信端末装置がコンテンツ再生データを無線外部入出力インターフェース部に出力するため、移動通信端末装置のコンテンツを遠隔操作により使用シーンに合ったデバイスに出力することができるので、移動通信端末装置の大きさに関わらず移動通信端末装置内のコンテンツを楽しむことができる。
【００２９】
また、移動通信端末装置がコンテンツを再生データに変換した後に出力するため、かかる再生データを受信した外部端末装置は、コンテンツ毎に再生データへの変換機能を備えなくても再生することが可能となる。
【００３０】
さらに、移動通信端末の無線外部入出力インターフェース部にキー制御信号を転送することで移動通信端末を制御することができるため、遠隔地で使用シーンに合った入力デバイスで移動通信端末を操作することができるようになる。
【００３１】
また、外部端末装置には記憶部を実装せずに移動通信端末装置の再生データを直接再生可能なため、換言すると、外部端末装置自身にコンテンツデータを蓄積して再生データに変換しなくてもよいので、複製禁止コンテンツでも再生が可能となる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
（第１の実施の形態）
まず、本発明の第１の実施の形態における移動通信端末装置を含む無線通信システムの構成について図面を使用しながら説明する。図１は、本発明の第１の実施の形態における移動通信端末装置を含む無線通信システムの全体構成の概略を説明するための構成図であり、図２は、本実施の形態における移動通信端末装置の内部構成を簡略化して説明するためのブロック図であり、図３は、本実施の形態における移動通信端末装置を含む無線通信システムで使用される外部端末装置の内部構成を簡略化して説明するためのブロック図である。
【００３４】
図１に示すように、本実施の形態における無線通信システム１００では、携帯電話機やＰＨＳ等の移動通信端末装置１０２は、かかる移動通信端末装置１０２よりも画像表示や音声出力をする機能部が大型である、例えばＰＣやＰＤＦ等の外部端末装置１０４と無線ＬＡＮやＢｌｕｅｔｏｏｔｈ等の無線インターフェース１０６を介して接続することができる。
【００３５】
本実施の形態の無線通信システム１００に含まれる移動通信端末装置１０２は、図２に示すように、各種コンテンツの文字や画像等による表示再生を行うＬＣＤ等で構成される表示部１０８及び各種コンテンツの音声による再生を行うスピーカ部１１０は、制御部１１２により制御される。また、制御部１１２は、ＨＴＭＬの表示、画像データの表示、動画データの再生、音声データの再生等、各種コンテンツを表示及び音声データに変換する機能を備えている（以下、表示部１０８及びスピーカ部１１０で出力する表示及び音声データを再生データというものとする。）。
【００３６】
また、本実施の形態の移動通信端末装置１０２は、複数のキーで構成される操作部１１４のキー操作・キー入力が制御部１１２に伝達されることにより制御される。無線外部入出力インターフェース部１１６は、無線ＬＡＮやＢｌｕｅｔｏｏｔｈ等の無線インターフェース１０６を介して無線通信ができるデバイスであり、外部端末装置１０４と接続するためのインターフェースである。
【００３７】
更に、本実施の形態の移動通信端末装置１０２は、その他の構成要素として、不図示の携帯電話基地局との間で無線信号を送受する無線部１１８と、発着呼情報や移動通信端末装置１０２の機能設定等の各種情報を格納する記憶部１２０と、音声信号処理を行う送受話部１２２とを具備する。これらの構成要素は、当業者にとってよく知られており、また本発明とは、直接関係しないので、その構成の詳細な説明については、省略する。
【００３８】
一方、本実施の形態の無線通信システム１００に含まれる外部端末装置１０４は、図３に示すように、移動通信端末装置１０２と無線インターフェース１０６を介して接続するためのインターフェースである無線外部入出力インターフェース部１２４を具備する。かかる無線外部入出力インターフェース部１２４は、上述の移動通信端末装置１０２に備わる無線外部入出力インターフェース部１１６と同様に、無線ＬＡＮやＢｌｕｅｔｏｏｔｈ等の無線インターフェース１０６と無線通信ができるデバイスである。
【００３９】
また、外部端末装置１０４は、各種コンテンツの文字や画像等による表示再生を行う表示部１２６及び各種コンテンツの音声による再生を行うスピーカ部１２８を備え、これらは、制御部１３０により制御される。この制御部１３０に複数のキー等で構成される操作部１３２のキー操作・キー入力が伝達されることにより、本実施の形態の外部端末装置１０４は、制御される。
【００４０】
更に、本実施の形態では、外部端末装置１０４の操作部１３２のキー入力を制御部１３０に伝え、無線インターフェース１０６を介して移動通信端末装置１０２を制御することができる。なお、外部端末装置１０４による移動通信端末装置１０２の制御の動作に関しては、後述するものとする。
【００４１】
本実施の形態では、図２に示す移動通信端末装置１０２の表示部１０８と図３に示す外部端末装置１０４の表示部１２６は、同じデータフォーマットを表示することができるものとする。例えば、移動通信端末装置１０２の表示部１０８が２インチＱＶＧＡの画面サイズである場合、視認性を向上させるために外部端末装置１０４の表示部１２８を５インチＱＶＧＡ（解像度は移動通信端末１０２の表示部１０８と同じものとする。）というように、外部端末装置１０４の表示デバイスは、移動通信端末装置１０２の表示デバイスよりも大きいものを使用する。
【００４２】
また、図２に示す移動通信端末装置１０２のスピーカ部１１０と図３に示す外部端末装置１０４のスピーカ部１２８は、同じデータフォーマットを出力することができるものとする。例えば、移動通信端末装置１０２のスピーカ部１１０は、モノラル出力であるのに対し、外部端末装置１０４のスピーカ部１２８は、ステレオ出力が可能であるように、より高音質で視聴できるものを使用する。このように外部端末装置１０４の表示部１２６、スピーカ部１２８は、使用シーンに合わせて利便性のよいデバイスを選択することができる。
【００４３】
更に、図２に示す移動通信端末装置１０２の操作部１１４と図３に示す外部端末装置１０４の操作部１３２で入力されたキーのキー制御信号は、同じフォーマットであり、何れか一方のキー制御信号でも、移動通信端末装置１０２を制御することができる。例えば、移動通信端末装置１０２がテンキー、発話・終話キー、十字キー、２つのソフトキー、決定キー、メニューキーで構成されている場合、外部端末装置１０４も同様のキーを実装し、同様のキー制御信号を移動通信端末装置１０２に転送し、移動通信端末装置１０２のキー入力と同じ動作をさせることができる。なお、外部端末装置１０４は、入力データを直接再生するため、特に記憶部を実装する必要はない。
【００４４】
次に、本実施の形態における無線通信システム１００における外部端末装置１０４から移動通信端末装置１０２を制御する動作について、図面を使用しながら説明する。図４は、本実施の形態の無線通信システム１００において、外部端末装置１０４から移動通信端末装置１０２を制御するしコンテンツを表示させる動作の流れを示すシーケンス図である。
【００４５】
本実施の形態における無線通信システム１００では、図４に示すように、外部端末装置１０４が移動通信端末装置１０２と接続しようとする際に、まず、外部端末装置１０４より移動通信端末装置１０２に無線インターフェース１０６を介して同期確立要求を行う。移動通信端末装置１０２は、かかる同期確立要求を無線外部入出力インターフェース部１１６で受信した後に、制御部１１２で同期を確立し、外部端末装置１０４と移動通信端末装置１０２が接続される。なお、この場合、反対に移動通信端末装置１０２より同期確立要求を行って、外部端末装置１０４と接続する方法でもよいものとする。
【００４６】
接続が完了すると移動通信端末装置１０２は、現在表示部１０８に表示している表示データを、無線外部入出力インターフェース部１１６、１２４を介して外部端末装置１０４に転送する。外部端末装置１０４は、受け取った表示データを表示部１２８にて表示する。このとき、移動通信端末装置１０２の表示部１０８で表示されるデータと外部端末装置１０４の表示部１２８で表示できるデータは、同一フォーマットであるため、データ変換することなく移動通信端末装置１０２で表示している内容と同じものを外部端末装置１０４で表示できる。
【００４７】
例えば、移動通信端末装置１０２の表示部１０８が解像度３２０×２４０でＲＧＢフォーマットを表示部の左上より右下方向にデータを格納するビデオメモリとそのデータを表示できるディスプレイドライバで構成されている場合、外部端末装置１０４も同じ解像度、同じフォーマットで表示することができるビデオメモリ、ディスプレイドライバで構成されているものとする。また、音声を出力する場合、音声データは、移動通信端末装置１０２と外部端末装置１０４のスピーカ部で共通フォーマットであり同じものを出力することができる。
【００４８】
次に、外部端末装置１０４の操作部１３２でメニューキーが押下されると、無線外部入出力インターフェース部１２４、１１６を介して移動通信端末装置１０２の制御部１１２に制御信号としてメニューキー押下コマンドが転送される。このときのキーコマンドは、移動通信端末装置１０２のメニューキー押下時に制御部１１２に通知されるコマンドと同じものである。
【００４９】
上記の外部端末装置１０４からの制御信号となるキーコマンドを無線外部入出力インターフェース部１１６で受信した移動通信端末装置１０２は、メニュー画面に状態遷移し、表示部１０８に表示されている表示データを外部端末装置１０４に無線外部入出力インターフェース部１１６を介して転送する。かかる表示データを受け取った外部端末装置１０４は、その表示データを表示部１２８にて表示する。
【００５０】
以後、外部端末装置１０４が移動通信端末装置１０２から受信した画像表示等のコンテンツのデータの中で、再生させるコンテンツ（この場合、画像表示）を確定してコンテンツ再生コマンドを送出するまでは、上記のようなキーコマンド入力手順の繰り返しのため省略する。
【００５１】
移動通信端末装置１０２がコンテンツ再生前まで遷移していたとして、外部端末装置１０４からコンテンツ再生のためのキー入力が転送されると、移動通信端末装置１０２は、制御部１１２にてコンテンツを再生データに変換する。生成された再生データは、無線外部入出力インターフェース部１１６を介して外部端末装置１０４へ随時転送される。外部端末装置１０４は、無線外部入出力インターフェース部１２４にて移動通信端末装置１０２から転送された再生データを受け取り、表示部１２８又はスピーカ部１２８に出力することによりコンテンツ再生が行われる。
【００５２】
なお、両端末装置１０２、１０４間における無線通信の接続の切断時は、外部端末装置１０４から切断要求を行い、移動通信端末装置１０２が切断許可の返事を返した後に切断する。この場合、移動通信端末装置１０２から外部端末装置１０４への切断要求でもよいものとする。
【００５３】
以上詳述したように、本実施の形態の無線通信システム１００は、移動通信端末装置１０２内に備わるメール、画像、サウンド等のコンテンツ、又は移動通信端末装置１０２が表示可能なＨＴＭＬ表示等のコンテンツを移動通信端末装置１０２から無線ＬＡＮ、Ｂｌｕｅｔｏｏｔｈ等の無線インターフェースを用いて出力することにより、無線外部入出力インターフェース部１２４を備え、かかる無線外部入出力インターフェース部１２４を介して移動通信端末装置１０２と接続された外部端末装置１０４が移動通信端末装置１０２の操作及び移動通信端末装置１０２からコンテンツデータを取得して再生できる。
【００５４】
すなわち、無線インターフェース１０６を介して移動通信端末装置１０２と接続される外部端末装置１０４の操作部のキー操作により、移動通信端末装置１０２を遠隔操作し、移動通信端末装置１０４の画面・音声出力等の各コンテンツの再生が可能となる。換言すると、移動通信端末装置１０２を外部端末装置１０４で遠隔操作し、移動通信端末装置１０２の画面・音声出力等の各コンテンツを再生しているので、移動通信端末装置の大きさに関わらず、移動通信端末装置に備わる各コンテンツをより有効に利用し、楽しむことが実現される。
【００５５】
（第２の実施の形態）
次に、本発明の第２の実施の形態における無線通信システムについて、図面を参照しながら説明する。本実施の形態における無線通信システムの全体構成の概略を説明するための構成図は、図１と同様であるので、その説明は、省略する。
【００５６】
本実施形態では、第１の実施の形態の無線通信システムと基本的構成は、上記の通りであるが、データ転送方法についてさらに工夫している。その構成について図面を使用しながら説明する。図５は、本実施の形態における移動通信端末装置の内部構成を簡略化して説明するためのブロック図であり、図６は、本実施の形態における移動通信端末装置を含む無線通信システムで使用される外部端末装置の内部構成を簡略化して説明するためのブロック図である。
【００５７】
無線外部入出力インターフェース部を転送速度の遅いインターフェースで構成した場合等において、再生データの転送が間に合わないことが考えられる。このため、本実施の形態では、図５に示すように移動通信端末装置２０２に再生データを圧縮する再生データ圧縮手段としてエンコード部２０９を、図６に示すように外部端末装置２０４に受信した圧縮データを伸張して再生する圧縮データ伸張手段としてデコード部２３４を搭載する。すなわち、本実施の形態では、移動通信端末装置２０２内で再生データを圧縮してから外部無線端末装置２０４へ転送する。
【００５８】
また、この場合、データ圧縮手段についても、既に移動通信端末装置２０２に搭載されているものを利用すれば、デコード部２３４を追加する必要はない。更に、単一の圧縮手段を用いることにより、外部端末装置２０４でも、１つのデコーダにて展開できるようになる。また、動画等のリアルタイム性が必要なコンテンツの場合、外部端末装置２０４に備わる無線外部入出力インターフェース部２３４とデコード部２３４の間に受信バッファ部２３６を搭載し、動画のリアルタイム性を損なわないようにしてもよい。
【００５９】
なお、本実施の形態の移動通信端末装置２０２は、第１の実施の形態の移動通信端末装置１０２と同様に、表示部２０８、スピーカ部２１０は、制御部２１２、操作部２１４、無線外部入出力インターフェース部２１６、無線部２１８、記憶部２２０、及び送受話部２２２を具備する。また、本実施の形態の外部端末装置２０４は、第１の実施の形態の外部端末装置１０４と同様に、無線外部入出力インターフェース部２２４、表示部２２６、スピーカ部２２８、制御部２３０、及び操作部２３２を具備する。これらの各構成要素は、第１の実施の形態の移動通信端末装置１０２及び外部端末装置１０４と同様であるので、その構成の詳細な説明については、省略する。
【００６０】
次に、本実施の形態における無線通信システムにおける外部端末装置２０４から移動通信端末装置２０２を制御する動作について、図面を使用しながら説明する。図７は、本実施の形態の無線通信システムにおいて、外部端末装置２０４から移動通信端末装置２０２を制御するコンテンツを表示させる動作の流れを示すシーケンス図である。
【００６１】
移動通信端末装置２０２と外部端末装置２０４の接続から動画再生コマンド送出までは、第１の実施の形態で説明した動作と同様のため省略する。外部端末装置２０４から動画再生コマンドが移動通信端末装置２０２に転送されると、移動通信端末装置２０２は、動画コンテンツを再生データに変換し、表示及び音声データを作成する。転送するデータ量を減らすためエンコード部２０９でデータを圧縮して、無線外部入出力インターフェース部２１６より送出する。
【００６２】
外部端末装置１０４は、無線外部入出力インターフェース部２２４で受信した圧縮データを受信バッファ部２３６に格納する。圧縮データがある程度蓄積されたら、デコード部２３４で受信した圧縮データを伸張し、表示部２２６及びスピーカ部２２８で動画を再生する。動画再生中に受信バッファ部２３６にある程度の圧縮データが蓄積されたタイミングで、再度デコード部２３４により圧縮データを再生データに伸張する。以後受信データがなくなるまで繰り返すことにより、動画のリアルタイム性を確保する。
【００６３】
また、本実施の形態では、無線インターフェース１０６を介して無線外部入出力インターフェース部２１６を用いることにより、移動通信端末装置２０２に複数の外部端末装置２０４から接続し、同時にコンテンツを再生することができる。このとき、再生データを外部端末装置２０４へ転送する際に、再生データを圧縮データ又は非圧縮データの何れか一方で自動的に選択して送出する手段を備え、再生データの容量の大きさに応じて、かかる再生データを送出先毎の外部端末装置において、より好適に再生することが出来るようになる。
【００６４】
更に、マルチタスク処理が可能な移動通信端末装置２０２である場合、複数の外部端末装置２０４がそれぞれに違うコンテンツを再生することが可能となる。この場合、移動通信端末装置２０２の表示部２０８及びスピーカ部２１０では再生せず、再生データを各外部端末装置２０４に転送する。
【００６５】
また、無線インターフェースのセキュリティとして、エンコード部２０９でエンコードする際、データを暗号化し、デコード部２３４で復元するようにすることもできる。
【００６６】
このように、本実施の形態では、インターフェース部をワイヤレス化しているので、移動通信端末装置２０２が離れたところにあっても、移動通信端末装置２０２を制御しコンテンツを楽しむことができるという効果が得られる。例えば、コンテンツ再生を長時間行うと電力消費によりバッテリーがすぐに少なくなってしまうが、移動通信端末は充電器に接続しておいて、コンテンツを離れた場所にある外部端末装置２０４で再生するといったように使用することができる。
【００６７】
また、本実施の形態の変形例として、外部端末装置の表示部の解像度が移動通信端末装置の表示部の解像度の縦（または横）方向に整数倍し、移動通信端末装置から転送される表示データを縦（または横）方向に同正数倍回転送することにより、閲覧性を高めることができる。例えば、図８に示すように、移動通信端末装置３０２では、表示部３０８の画面３０８ａ、３０８ｂを切り替えて２ページ表示するところを、外部端末装置３０４では、２倍のビデオメモリを搭載し、移動通信端末装置３０２から転送された表示データを２ページ分に格納することにより、表示部３２６で１度に２ページ分表示することが可能となる。
【００６８】
また他の実施例として、上記各実施例までは、移動通信端末装置と外部端末装置の表示部及びスピーカ部のデータフォーマットを同一のものとしているが、外部端末装置にのみデータ変換部を導入することにより、特に同一フォーマットに限定せずに移動通信端末装置のコンテンツを外部端末装置で再生することができる。
【００６９】
このように、本実施の形態では、移動通信端末装置からの表示データを多く転送することにより、簡単に外部端末装置の表示能力を上げることができ、閲覧性を向上させることができる。
【００７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７１】
例えば、上記の各実施の形態では、再生データとして画像データ、音声データとして説明しているが、バックライトやＬＥＤの点滅・配色情報やバイブレータ振動パターン情報などの制御情報などを含むことも可能であり、外部端末装置にバックライトやＬＥＤ、バイブレータなどのデバイスを搭載して制御することもできる。
【産業上の利用可能性】
【００７２】
本発明は、携帯電話機やＰＨＳ等の移動通信端末装置に適用可能であり、特にｗｅｂ、jＡＶa、カメラ撮影機能等のコンテンツを蓄積及び再生でき、外部インターフェース部を備えた外部端末装置と無線インターフェースを介して接続される移動通信端末装置に適用可能である。
【図面の簡単な説明】
【００７３】
【図１】図１は、本発明の第１の実施の形態における移動通信端末装置を含む無線通信システムの全体構成の概略を説明するための構成図である。
【図２】図２は、同実施の形態における移動通信端末装置の内部構成を簡略化して説明するためのブロック図である。
【図３】図３は、同実施の形態における移動通信端末装置を含む無線通信システムで使用される外部端末装置の内部構成を簡略化して説明するためのブロック図である。
【図４】図４は、同実施の形態の無線通信システムにおいて、外部端末装置から移動通信端末装置を制御するしコンテンツを表示させる動作の流れを示すシーケンス図である。
【図５】図５は、本発明の第２の実施の形態における移動通信端末装置の内部構成を簡略化して説明するためのブロック図である。
【図６】図６は、同実施の形態における移動通信端末装置を含む無線通信システムで使用される外部端末装置の内部構成を簡略化して説明するためのブロック図である。
【図７】図７は、同実施の形態の無線通信システムにおいて、外部端末装置から移動通信端末装置を制御するしコンテンツを表示させる動作の流れを示すシーケンス図である。
【図８】図８は、同実施の形態の無線通信システムの変形例の全体構成の概略を説明するための構成図である。
【符号の説明】
【００７４】
１００    無線通信システム
１０２、２０２    移動通信端末装置
１０４、２０４    外部端末装置
１０６、２０６    無線インターフェース
１０８、２０８    表示部
１１０、２１０    スピーカ部
１１２、２１２    制御部
１１４、２１４    操作部
１１６、２１６    無線外部入出力インターフェース部
１１８、２１８    無線部
１２０、２２０    記憶部
１２２、２２２    送受話部
１２４、２２４    無線外部入出力インターフェース部
１２６、２２６    表示部
１２８、２２８    スピーカ部
１３０。２３０    制御部
１３２、２３２    操作部
２０９    エンコード部
２３４    デコード部
２３６    受信バッファ部
【図１】
2006148625.tif 000003
【図２】
2006148625.tif 000004
【図３】
2006148625.tif 000005
【図４】
2006148625.tif 000006
【図５】
2006148625.tif 000007
【図６】
2006148625.tif 000008
【図７】
2006148625.tif 000009
【図８】
2006148625.tif 000010